(57)【要約】【課題】  本考案は、スキャン頭部１、方向制御浮動台２、スキャン頭部方向制御装置３、中央処理装置４、内蔵型電源５及び／又は外部電源インターフェイス９、並びに移動ボックス６を含む移動型熱的テクスチャ・マッピング（ＴＴＭ）装置を提供する。【解決手段】移動ボックス６は上記構成要素の全てを収容することが可能であり、二、三の連結ボックスから成る。各連結ボックスの間には上下スライド用レール及び誘導スロットが存在する。移動ボックス６の外部には、引きずる際に便利なように、ハンドル７及びトロリー車輪８が設けられている。全ての構成要素を小型化し、移動ボックス８の内部に収容することが可能であるため、スキャン頭部１の高さは連結ボックスの高さを調整することにより調整可能であり、回転を除いて患者に余分な移動をさせる必要もなく、従って、この装置は、僅かな場所を占有するのみであり、野外診療所又は応急診療所の診察に極めて適当である。【選択図】  図１
0003115255.tif 000002
【実用新案登録請求の範囲】
【請求項１】
少なくとも、赤外スキャン頭部、方向制御浮動台、スキャン頭部方向制御装置、中央処理装置、及び電源装置を含み、前記スキャン頭部は、前記方向制浮遊台の上に配置され、前記スキャン頭部は、単一の電力線によって、前記中央処理装置及び前記スキャン頭部方向制御装置にそれぞれ接続された移動型ＴＴＭ装置において、装置を使用しない場合には、上記の構成要素の全てを小型化して内部に収容することが可能な移動ボックスを含み、装置を使用する場合には、前記方向制御浮動台を前記ボックスから引出し、前記ボックスの内壁により安定的に支持することが可能であり、前記電源装置は、内蔵型電源及び／又は外部電源インターフェイスを備えていることを特徴とする、移動型ＴＴＭ装置。
【請求項２】
請求項１に記載の移動型ＴＴＭ装置において、前記移動ボックスは、二、三の連結ボックスから成り、一つ若しくは複数の内部ボックスは上方に引出され、必要な高さにおいて、一つ若しくは複数の外部ボックスで固定されて、前記浮動台に対する安定的な支持を形成することが可能であることを特徴とする、移動型ＴＴＭ装置。
【請求項３】
請求項２に記載の移動型ＴＴＭ装置において、前記複数のボックスは、互いの間に、上下運動のための上下スライド用レール及び誘導スロットを有し、かつ前記複数のボックスの相対的位置を固定するための位置決めピン又はブロックを有していることを特徴とする、移動型ＴＴＭ装置。
【請求項４】
請求項１に記載の移動型ＴＴＭ装置において、前記移動ボックスの垂直外面の一方には、前記ボックスを引きずる際に便利なように、引出し及び押込みが可能なハンドルが設けられ、前記ボックスの底部には、運搬の際に便利であるように前記ボックスを支持するための車輪が設けられていることを特徴とする、移動型ＴＴＭ装置。
【請求項５】
請求項１に記載の移動型ＴＴＭ装置において、前記内蔵型電源又は外部電源は、１２Ｖ直流電源であることを特徴とする、移動型ＴＴＭ装置。
【請求項６】
請求項５に記載の移動型ＴＴＭ装置において、前記１２Ｖ直流電源は、内蔵型蓄電池又は外部の自動車のエンジンにより、供給されることを特徴とする、移動型ＴＴＭ装置。
【請求項７】
請求項５に記載の移動型ＴＴＭ装置において、前記１２Ｖ直流電源は、２２０Ｖ又は１１０Ｖの商業用交流電源からの変換及び伝達を実行する外部整流器によって供給されるか、或いは、外部人力発電機により供給されることを特徴とする、移動型ＴＴＭ装置。
【考案の詳細な説明】
【技術分野】
【０００１】
本考案は、移動型熱的テクスチャ・マッピング（ＴＴＭ）装置に関し、特に、移動診療所及び／又は応急診療所における診察に利用されるＴＴＭ診断を実行するのに適当な移動型ＴＴＭ装置に関する。
【背景技術】
【０００２】
２１世紀初頭以来、ＴＴＭ技術は、科学及び医学の分野にわたって幅広く注目されてきた。特に、医学の分野において、人類は初めて、人体表面から得られる赤外熱放射のデータから内部熱源を調査することが可能になり、膨大な医学的症例及びそれに対応するＴＴＭスキャンのデータに関する統計的研究により、病気／不健康な状態と内部熱源との間の数百の関係が確立された。ＴＴＭ技術についての基本的情報は、米国特許第６，０２３，６３７号を参照されたい。それに関連する内容は、本出願に参照として組み入れられる。
【考案の開示】
【考案が解決しようとする課題】
【０００３】
従来技術において、標準的なＴＴＭ装置は、操作及び中央処理システム、スキャン・システム、並びにスキャン・ベッドから成る。その操作及び中央処理システムは、コンソール、中央処理装置、カラー・ディスプレイ、カラー・プリンタ等を含む。操作者は、コンソールによって、スキャン・システム及びスキャン・ベッドを制御する。スキャン・システムは三つの部品、即ち、スキャン頭部、スキャン棚部、及び棚部カバーから成る。そのスキャン棚部は、棚部カバーの内部にあり、最新の型では、その二つの部品は一つに融合されており、スキャン頭部は、浮動台（ｆｌｏａｔｉｎｇ  ｔａｂｌｅ）を介して、そのスキャン棚部の上に配置されている。コンソールを制御することにより、スキャン頭部は、昇降、左右、上下の回転スキャン、及び結像スキャンを実行することが可能である。スキャン・ベッドは、レールに沿って前方又は後方に移動し、ベッドの下方部分における回転テーブルは、３６０°時計回り又は半時計回りに回転することが可能であり、それによってスキャンの要求が達成される。上記の装置には、広い場所が必要であるばかりか、極めて高水準の電源及び利用環境も必要である。又、機器全体を移動させることも困難である。このことから、この種の装置は、遠隔地における人々のための、若しくは、車両／船舶の乗客若しくは軍隊のような移動群集のための野外診療所及び／又は応急診療所における診察に利用されるのには適当ではないことがわかる。
【課題を解決するための手段】
【０００４】
本考案は、医療用移動型ＴＴＭ装置を提供することにより、標準的なＴＴＭ装置の上記欠点を克服することを目的としている。医療用移動型ＴＴＭ装置は、遠隔地における人々のための、かつ／若しくは、移動群集のための野外診療所及び／又は応急診療所における診察に利用されるのに適当である。
【０００５】
本考案は、赤外スキャン頭部、方向制御浮動台、スキャン頭部方向制御装置、中央処理装置、及び電源装置から成る移動型ＴＴＭ装置を提供する。そのスキャン頭部は、方向制御浮動台の上に配置されており、単一の電力線により、中央処理装置及びスキャン頭部方向制御装置に接続されている。装置を使用しない場合には、上記の構成要素の全てを小型化して内部に収容することが可能な移動ボックスが含まれていること、装置を使用する場合には、方向制御浮動台をそのボックスから引出し、ボックスの内壁により安定的に支持することが可能であること、さらに、電源装置は、内蔵型電源及び／又は外部電源インターフェイスを備えていること、が特徴である。
【０００６】
移動ボックスは、二、三の連結ボックスから成る。一つ若しくは複数の内部ボックスを上方に引出し、所定の高さにおいて、一つ若しくは複数の外部ボックスで固定し、浮動台に対する安定的な支持を形成することが可能である。前記複数のボックスは、互いの間に、上下運動のための上下スライド用レール及び誘導スロットを有し、かつその複数のボックスの相対的位置を固定するための位置決めピン又はブロックを有している。レール及びスロットをスライドさせることにより、外部ボックスから内部ボックスまでのボックスの高さの変更が実現され、高い浮動台が形成される。このように、はしごを繋げていくようにボックスの高さを調整することによって、スキャン頭部の高さを調整することが可能である。これに加えて、各連結ボックスの高さの相対的位置を固定するために、レール又はスロット上には位置決めピン又は位置決めブロックが設けられている。さらに、移動ボックスの外面には、引きずってボックスを移動させる際に便利なように、ハンドル及びトロリー車輪が設けられている。
【０００７】
この装置の内蔵型電源又は外部電源としては、内蔵型蓄電池のような、或いは自動車のエンジンより供給される外部１２Ｖ直流電源のような、１２Ｖ直流電源があり得る。内蔵型バッテリーは、４０分から６０分は、装置に電力を供給しなければならない。そのため、この装置は、内蔵型蓄電池及び自動車からの外部１２Ｖ直流電源のためのインターフェイスを有している。２２０Ｖ又は１１０Ｖの商業用交流電源がある場所において長時間動作を実行するために、この装置は、２２０Ｖ又は１１０Ｖの商業用交流電源を１２Ｖの直流電源に変換する整流器（ｖｅｒｔｏｒｏ）を有している。商業用電源のない場所において長時間動作を実行するためには、この装置は、オプションとして、長期間の電力供給を保証するために、１２Ｖ直流電力を供給することが可能な人力発電機を有している。実際に使用する場合、整流器及び／又は人力発電機は、条件及び使用要求に応じて、取り付けられ得る。これは、より便利かつ柔軟な点である。
【０００８】
本考案の利点及び効果が、スキャン頭部、方向制御浮動台、スキャン頭部方向制御装置、及び電源装置を含む全ての構成要素を小型化して、移動ボックスに収容することが可能であること、かつ複数のボックスの高さを調整することにより、必要に応じて、スキャン頭部の高さを調整することが可能であること、にあることは明らかに理解される。従って、回転を除く、全ての方向からのスキャンが、患者に余分な移動をさせる必要もなく、実行することが可能である。この装置は、場所を占有することが殆どなく、外部要素を取り付けるための柔軟性も有する。この装置は、特に、農村地域のように大型のＴＴＭ装置が不足している地域におけるＴＴＭ診断のために、並びに、車両／船舶の乗客、軍隊、及び野外労働者のような移動群集におけるＴＴＭ診断のために、装置をその場所に移動する必要がある応急診療所及び移動診療所における診察に適当である。
【考案を実施するための最良の形態】
【０００９】
実施例
本考案の詳細な説明が、以下に添付図面を参照しながら与えられる。しかしながら、実施例に記された特定の実施形態が本考案の内容に対する限定を意味するべきではないことは理解されよう。
【００１０】
図１は、使用時における移動型ＴＴＭ装置の構造図を示す。この図から、この装置は、主として、赤外スキャン頭部１、方向制御浮動台２、スキャン頭部方向制御装置３、中央処理装置４、内蔵型電源５、及び外部電源インターフェイス９から成ることは理解できよう。スキャン頭部１は、方向制御浮動台２の上に配置されている。スキャン頭部１は、単一の電力線により、中央処理装置４及びスキャン頭部方向制御装置３にそれぞれ接続されている。中央処理装置４及びスキャン頭部方向制御装置３は、操作者がスキャンを実行するために、かつデータ処理のために、ボックスから取り出すことが可能である。電源５又は外部電源インターフェイス９を介した電源は装置に電力を供給する。これらに加えて、全ての構成要素を内部に収容して、容易に移動可能な移動ボックス６も含まれている。
【００１１】
前記容易に移動可能なボックスは、二、三の連結ボックスから成る。電源は、低部ボックスに配置される。これらのボックスの間には、スキャン頭部の高さを調整するための上下スライド用レール及び誘導スロットが設けられている。そのレール及びスロット上には、その位置を固定するための位置決めブロックが設けられている。加えて、移動ボックスの垂直外面の一方には、ボックスを引きずる際に便利なように、引出し及び押込みが可能なハンドル７が設けられている。ボックスの底部には、ボックスを支持するための車輪８が設けられ、移動及び運搬の際に便利である。
【００１２】
装置が使用されていない場合は、移動／運搬に便利なように、全ての構成要素を小型化し、ボックスに収容することが可能である。
必要に応じて、整流器及び／又は人力発電機が取り付けられ、異なる電源条件にも適合する。
【００１３】
図２は、移動型ＴＴＭ装置の動作プロセスを説明する図を与える。浮動台制御装置により、方向制御浮動台に命令が与えられる。その方向制御浮動台により、スキャンの方向が、適切なスキャンの配置に調整される。人の細胞の新陳代謝の経過の間に放射される熱がスキャン頭部に検出され、デジタル信号に変換され、次いで、中央処理装置に送信される。ＴＴＭ処理の後、人体の検出部分の新陳代謝の相対的強度を反映する熱放射分布マップが表示され、さらに、人体の健康状態を判定するための解析が成される。
【図面の簡単な説明】
【００１４】
【図１】使用時における移動型ＴＴＭ装置の構造図。
【図２】移動型ＴＴＭ装置の動作プロセスを説明する図。
【図３】移動型ＴＴＭ装置が小型化され、移動ボックスに収容されている場合における、引出されたハンドルを備える移動ボックスの背面図。
【図１】
0003115255.tif 000003
【図２】
0003115255.tif 000004
【図３】
0003115255.tif 000005